(57)【要約】【課題】  本発明は、従来技術の有する課題に鑑みてなされたものであり、顧客のランクに基づいてマス目の情報を変更することである。【解決手段】  携帯端末は、ＰＯＳレジ装置から買い物の情報を取得する。取得した買い物情報に基づいて、例えば、３行３列のマスに対応する抽選情報を変更する。例えば、金額が高い場合は、クーポンが当たる可能性が高くなるように抽選情報を配置し、買い物金額が低い場合は、クーポンが当たる可能性が低くなるように抽選情報の配置を変更する。【選択図】図７
2017004285.tif 000002
【特許請求の範囲】
【請求項１】
列または行からなる複数のマス目を有するマス目情報を記憶するマス目情報記憶手段と、
顧客のランクを決定するランク決定手段と、
ランク決定手段によって決定されたランクに基づいて、前記マス目情報のマス目に対応する情報を決定するマス目決定手段と、
を備えることを特徴とする情報処理装置。
【請求項２】
前記マス目決定手段に決定されたマス目に対応する情報を有するマス目情報を秘匿画像により秘匿する秘匿手段と、
前記秘匿画像を消去するスクラッチ手段と、
を備えることを特徴とする請求項１に記載の情報処理装置。
【請求項３】
前記マス目決定手段は、所定のマス目をランクに基づいて決定することを特徴とする請求項１または２に記載の情報処理装置。
【請求項４】
前記マス目に対応する情報は、抽選情報であることを特徴とする請求項１〜３のいずれか１項に記載の情報処理装置。
【請求項５】
前記スクラッチ処理は、所定の数のマス目の秘匿画像を消去し、
前記スクラッチ処理によって秘匿画像を消去したマス目に対応する情報に基づいて、景品情報を決定する景品情報決定手段と、
を備えることを特徴とする請求項３に記載の情報処理装置。
【請求項６】
前記顧客のランクは、会計情報に基づいて決定することを特徴とする請求項１〜５のいずれか１項に記載の情報処理装置。
【請求項７】
列または行からなる複数のマス目を有するマス目情報を記憶するマス目情報記憶処理と、
顧客のランクを決定するランク決定処理と、
ランク決定処理によって決定されたランクに基づいて、前記マス目情報のマス目に対応する情報を決定するマス目決定処理と、
を有することを特徴とする情報処理方法。
【請求項８】
コンピュータを
列または行からなる複数のマス目を有するマス目情報を記憶するマス目情報記憶手段、
顧客のランクを決定するランク決定手段、
ランク決定手段によって決定されたランクに基づいて、前記マス目情報のマス目に対応する情報を決定するマス目決定手段、
として機能させることを特徴とするプログラム。
【発明の詳細な説明】
【技術分野】
【０００１】
本発明は、情報処理装置、情報処理方法及びプログラムに関する。
【背景技術】
【０００２】
従来、ビンゴゲームや阿弥陀くじ等のゲーム装置に於いて、ランダムに選択された数字を容易に確認出来るゲーム装置がある。しかしながら、従来のゲーム装置では、顧客のランクによってマス目の情報を変更することはできなかった。
【先行技術文献】
【特許文献】
【０００３】
【特許文献１】２００３−１４１０７１号公報
【発明の概要】
【発明が解決しようとする課題】
【０００４】
本発明は、従来技術の有する課題に鑑みてなされたものであり、顧客のランクに基づいてマス目の情報を変更することである。
【課題を解決するための手段】
【０００５】
列または行からなる複数のマス目を有するマス目情報を記憶するマス目情報記憶手段と、
顧客のランクを決定するランク決定手段と、
ランク決定手段によって決定されたランクに基づいて、前記マス目情報のマス目に対応する情報を決定するマス目決定手段と、
を備えることを特徴とする情報処理装置。
【発明の効果】
【０００６】
顧客のランクに基づいてマス目の情報を変更することができる。
【図面の簡単な説明】
【０００７】
【図１】は、本実施形態に係る情報処理システムの構成を示す図である。
【図２】は、本実施形態に係るＰＯＳレジ装置のブロック図である。
【図３】は、本実施形態に係る携帯端末のブロック図である。
【図４】は、本実施形態に係るマス目情報記憶部を示す図である。
【図５】は、本実施形態に係るマス目情報記憶部を示す図である。
【図６】は、本実施形態に係るＰＯＳレジ装置のフローチャートを示す図である。
【図７】は、本実施形態に係る携帯端末のフローチャートを示す図である。
【発明を実施するための形態】
【０００８】
以下、図面に基づき本発明の実施形態について説明する。
【０００９】
図１は、本実施形態に係るクーポン出力システムの構成を示す図である。本実施形態にかかるクーポン出力システムＰＯＳレジ装置１とＰＯＳレジ装置１と無線通信を行う携帯端末２とから構成される。ＰＯＳレジ装置１と携帯端末２は、例えば、Ｂｌｕｅｔｏｏｔｈ（登録商標）  ｌｏｗ  ｅｎｅｒｇｙ（以下、ＢＬＥという。）に基づいて、互いに無線通信を行う。ＢＬＥとは、Ｂｌｕｅｔｏｏｔｈ（登録商標）と呼ばれる近距離無線通信規格において、低消費電力を目的として策定された規格（モード）である。
【００１０】
ＰＯＳレジ装置１は、図２に示すように制御部１１、表示部１２、スキャナ１３、通信部１４、記憶部１５、印字部１６を備え、記憶部１５はランク情報記憶部１５１を含むものである。
【００１１】
制御部１１は、ＣＰＵ（Ｃｅｎｔｒａｌ  Ｐｒｏｃｅｓｓｉｎｇ  Ｕｎｉｔ）等によって構成され、記憶部１５に記憶されている各種のプログラムを実行して所定の演算や各部の制御を行うＣＰＵとプログラム実行時の作業領域となるメモリとを備えている（いずれも図示略）。
【００１２】
表示部１２は、液晶ディスプレイ等から構成され、制御部１１から伝達された情報を表示する。スキャナ１３は、商品のバーコードをスキャンし制御部１１に送信する。
【００１３】
通信部１４は、図示しないアンテナを介して、ＢＬＥに基づく無線信号の送信及び受信を行い、後述するランク情報を携帯端末２に送信する。
【００１４】
記憶部１５は、ランク情報記憶部１５１を含み、ランク情報記憶部１５１は、顧客のランク情報を記憶する。ランク情報は、顧客の会計情報、例えば合計金額、に基づいて決定される。例えば、本実施形態では、ランクは例えば３段階として買い物金額が高い方からランクA、ランクB、ランクCとし、ランクAは合計金額が５０００円以上、ランクBは合計金額が２０００円以上４９９９円以下、ランクCは合計金額が１９９９円以上とする。
【００１５】
印字部１６は、レシートを印字する。
【００１６】
図３は、端末装置２の構成を示すブロック図である。端末装置２は、制御部２１、表示部２２、入力部２３、通信部２４、記憶部２５、印字部２６を備え、入力部はタッチパネル２３１、記憶部２５は抽選情報記憶部２５１、マス目情報記憶部２５２を有する。
【００１７】
制御部２１は、ＣＰＵ（Ｃｅｎｔｒａｌ  Ｐｒｏｃｅｓｓｉｎｇ  Ｕｎｉｔ）等によって構成され、記憶部２５に記憶されている各種のプログラムを実行して所定の演算や各部の制御を行うＣＰＵとプログラム実行時の作業領域となるメモリとを備えている（いずれも図示略）。
【００１８】
表示部２２は、例えば、ＬＣＤ（Ｌｉｑｕｉｄ  Ｃｒｙｓｔａｌ  Ｄｉｓｐｌａｙ）、ＥＬ（Ｅｌｅｃｔｒｏｌｕｍｉｎｅｓｃｅｎｃｅ）ディスプレイ等によって構成される。
【００１９】
入力部２３は、タッチパネル２３１有し、表示部２１の上面に配置され、ユーザの操作内容を入力するために用いられるインタフェースである。タッチパネル２３１は、例えば図示しない透明電極を内蔵し、ユーザの指等が接触した場合に、電圧が変化した位置を接触位置として検出し、その接触位置の情報を入力指示として制御部２１へ出力する。本実施形態では、表示部２２に表示されたスクラッチ画像検出した接触位置に基づいて消去するスクラッチ処理に使用される。
【００２０】
通信部２４は、図示しないアンテナを介して、ＢＬＥに基づく無線信号の送信及び受信を行い、ＰＯＳレジ装置１からランク情報を受信する。
【００２１】
記憶部２５は、抽選情報記憶部２５１、マス目情報記憶部２５２を有し、抽選情報記憶部２５１は「当たり」や「はずれ」等の抽選情報を記憶する。マス目情報記憶部２５１は、図４に示すように例えば、３行３列のマス目を有し、そのマス目に上述した抽選情報を記憶することが可能ある。本実施形態では、「当たり」を５マス、「はずれ」を４マス記憶する。
【００２２】
図５（ａ）、（ｂ）は、マス目情報記憶部２５２に抽選情報を記憶した例である。図５（ａ）は、例えば、顧客がランクＡである場合に中心に「当たり」を配置した例であり、図５（ｂ）は、例えば、顧客がランクＣである場合に、「はずれ」を中心に配置した例である。印字部２６は後述するクーポンを印字する。
【００２３】
図６は本実施形態に係るＰＯＳレジ装置１に係るフローチャートを示す図である。まず、ＰＯＳレジ装置１はスキャナ１３で商品のバーコードを読み取り、合計金額を算出し、印字部１６を用い、レシートに印字する（ステップＳ１０１）。
【００２４】
ステップ１０１の会計処理から合計金額を取得し、顧客のランクを決定し、ランク情報記憶部１５１に記憶する（ステップＳ１０２）。例えば、合計金額が、３３１４円の場合、顧客はランクＢに決定される。本実施形態では、顧客のランクは、会計の合計金額によって決定したが、これに限らない。
【００２５】
顧客のランクが決定した後、ランク情報記憶部１５１に記憶されているランク情報を携帯端末２に送信する（ステップＳ１０３）。
【００２６】
図７は、本実施形態に係る携帯端末２に係るフローチャートを示す図である。まず、携帯端末２は、ＰＯＳレジ装置１からランク情報を受信したかを判定する（ステップＳ２０１）。ランク情報を受信していないと判定した場合は（ステップＳ２０１Ｎｏ）、受信したと判定するまでステップＳ２０１を繰り返す。
【００２７】
ＰＯＳレジ装置１からランク情報を受信した場合（ステップＳ２０２）、受信したランク情報がランクＡか否かを判定する（ステップＳ２０２）。受信したランク情報がランクＡであった場合（ステップＳ２０２Ｙｅｓ）、マス目情報記憶部２５２の３行３列のマス目の中心に「当たり」を配置しマス目記憶情報２５２に記憶し（ステップＳ２０３）、ステップＳ２０７へ進む。
【００２８】
受信したランク情報がランクＡでないと判定された場合（ステップＳ２０２Ｎｏ）、受信したランク情報がランクＢか否かを判定する（ステップＳ２０４）。受信したランク情報がランクＢであると判定された場合（ステップＳ２０４Ｙｅｓ）、ランダムに「当たり」や「はずれ」を配置しマス目情報記憶部２５２に記憶する。例えば、まず、５つの「あたり」の配置を決定し、その後残りのマスに「はずれ」を配置しマス目記憶情報２５２に記憶する。
【００２９】
受信したランク情報がランクＢではなかった場合（ステップＳ２０４Ｎｏ）、マス目情報記憶部２５２の３行３列のマス目の中心に「はずれ」を配置しマス目情報記憶部２５２に記憶する（ステップＳ２０６）、ステップＳ２０７へ進む。
【００３０】
ステップＳ２０７では、中心以外の残りのマスに「当たり」が５つ、「はずれ」が４つになるようにランダムに配置しマス目記憶情報２５２に記憶する。（ステップＳ２０７）。
【００３１】
ステップＳ２０３、Ｓ２０５〜Ｓ２０７で配置し記憶したマス目情報記憶部２５２を秘匿画像としたスクラッチ画像を表示する（ステップＳ２０８）。スクラッチ画像とは秘匿画像を後述するスクラッチ処理で消える画像で覆い隠した画像である。
【００３２】
スクラッチ画像を表示した後、スクラッチ処理を行う（ステップＳ２０９）。スクラッチ処理とは、ユーザが表示部２２に表示されているスクラッチ画像に対して、タッチパネル２３１を使用し、位置を指定することで、指定された位置の画像を消し、画像を消した場所の秘匿画像を表示する処理である。
【００３３】
本実施形態では、ユーザは一つのマスを選択しスクラッチ処理でスクラッチ画像を消し、対応する抽選情報が表示した後、次にマスに対してスクラッチ処理を行う。そのため、スクラッチを開始したマスの抽選情報が表示されていない場合は、他のマスを指定したとしてもスクラッチ処理は行われない。
【００３４】
スクラッチ処理により４マススクラッチされ対応する抽選情報が表示されたかを判定する（ステップＳ２１０）。４マススクラッチされていないと判定された場合（ステップＳ２１０Ｎｏ）、４マススクラッチされるまで、ステップＳ２０９を繰り返す。
【００３５】
４マススクラッチされたと判定した場合（ステップＳ２０１Ｙｅｓ）、３行３列のマス目の縦横斜めに「当たり」がそろったかを判定する（ステップＳ２１１）。「当たり」がそろっていないと判定された場合（ステップＳ２１１Ｎｏ）終了する。
【００３６】
３行３列のマス目の縦横斜めに「当たり」がそろったと判定された場合は（ステップＳ２１１Ｙｅｓ）、印字部２６によりクーポンを印字する。
【００３７】
なお、本実施形態では、３行３列のマスを利用したが行数や列数はこれに限らない。また、本実施形態ではクーポンを携帯端末２によって印字したがこれに限らず、ＰＯＳレジ装置１の印字部１６によってレシートとともに印字してもよく、さらに携帯端末２の通信部２４を用いて取得してもよい。
【００３８】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００３９】
〈請求項１〉
列または行からなる複数のマス目を有するマス目情報を記憶するマス目情報記憶手段と、
顧客のランクを決定するランク決定手段と、
ランク決定手段によって決定されたランクに基づいて、前記マス目情報のマス目に対応する情報を決定するマス目決定手段と、
を備えることを特徴とする情報処理装置。
【００４０】
〈請求項２〉
前記マス目決定手段に決定されたマス目に対応する情報を有するマス目情報を秘匿画像により秘匿する秘匿手段と、
前記秘匿画像を消去するスクラッチ手段と、
を備えることを特徴とする請求項１に記載の情報処理装置。
【００４１】
〈請求項３〉
前記マス目決定手段は、所定のマス目をランクに基づいて決定することを特徴とする請求項１または２に記載の情報処理装置。
【００４２】
〈請求項４〉
前記マス目に対応する情報は、抽選情報であることを特徴とする請求項１〜３のいずれか１項に記載の情報処理装置。
【００４３】
〈請求項５〉
前記スクラッチ処理は、所定の数のマス目の秘匿画像を消去し、
前記スクラッチ処理によって秘匿画像を消去したマス目に対応する情報に基づいて、景品情報を決定する景品情報決定手段と、
を備えることを特徴とする請求項３に記載の情報処理装置。
【００４４】
〈請求項６〉
前記顧客のランクは、会計情報に基づいて決定することを特徴とする請求項１〜５のいずれか１項に記載の情報処理装置。
【００４５】
〈請求項７〉
列または行からなる複数のマス目を有するマス目情報を記憶するマス目情報記憶処理と、
顧客のランクを決定するランク決定処理と、
ランク決定処理によって決定されたランクに基づいて、前記マス目情報のマス目に対応する情報を決定するマス目決定処理と、
を有することを特徴とする情報処理方法。
【００４６】
〈請求項８〉
コンピュータを
列または行からなる複数のマス目を有するマス目情報を記憶するマス目情報記憶手段、
顧客のランクを決定するランク決定手段、
ランク決定手段によって決定されたランクに基づいて、前記マス目情報のマス目に対応する情報を決定するマス目決定手段、
として機能させることを特徴とするプログラム。
【符号の説明】
【００４７】
１  ＰＯＳレジ装置
２  携帯端末
１１  制御部
１２  表示部
１３  スキャナ
１４  通信部
１５  記憶部
１５１  ランク情報記憶部
１６  印字部
２１  制御部
２２  表示部
２３  入力部
２３１  タッチパネル
２４  通信部
２５  記憶部
２５１  抽選情報記憶部
２５２  マス目情報記憶部
２６  印字部
【図１】
2017004285.tif 000003
【図２】
2017004285.tif 000004
【図３】
2017004285.tif 000005
【図４】
2017004285.tif 000006
【図５】
2017004285.tif 000007
【図６】
2017004285.tif 000008
【図７】
2017004285.tif 000009